(57)【要約】      （修正有）【課題】何れか一つの緩衝部材を損壊した場合には、当該緩衝部材を交換可能な受けマットを提供する。【解決手段】家具に適用可能であり、収容空間１１を有し、収容空間１１の上に開口１２が設けられている包装本体１０と、収容空間１１の内部に配列されており、それぞれ複数の緩衝部材３１を有し、隣接する緩衝部材３１同士の外側面が互いに近接する複数の緩衝ユニット３０と、閉じ手段により、開口１２を選択的に閉じることが可能であるカバー４０と、を含み、開口１２がカバー４０に閉じられるときには、各緩衝部材３１の両端が、それぞれカバー４０と収容空間１１の底部１３とに当接する。【選択図】図２
0003200865.tif 000002
【実用新案登録請求の範囲】
【請求項１】
家具に適用可能であり、
収容空間を有し、前記収容空間の上に開口が設けられている包装本体と、
前記収容空間の内部に配列されており、それぞれ複数の緩衝部材を有し、隣接する前記緩衝部材同士の外側面が互いに近接する複数の緩衝ユニットと、
閉じ手段により、前記開口を選択的に閉じることが可能であるカバーと、を含み、
前記開口が前記カバーに閉じられるときには、前記各緩衝部材の両端が、それぞれ前記カバーと前記収容空間の底面とに当接することを特徴とする、
受けマット。
【請求項２】
更に、間隔ユニットを含み、前記間隔ユニットにより、前記収容空間が複数の放置セクションに分割され、前記各放置セクションに緩衝ユニットを入れることが可能であることを特徴とする、請求項１に記載の受けマット。
【請求項３】
前記各緩衝部材は、円筒状を呈し、直立するように前記収容空間に配されていることを特徴とする、請求項１に記載の受けマット。
【請求項４】
前記各緩衝部材はスポンジであることを特徴とする、請求項１に記載の受けマット。
【請求項５】
前記各緩衝部材は、スポンジであり、バネをカバーし、前記各バネの両端は、前記各緩衝部材の上下縁にそれぞれ当接することを特徴とする、請求項１に記載の受けマット。
【請求項６】
前記カバーは、前記包装本体の一側辺に連接されていることを特徴とする、請求項１に記載の受けマット。
【請求項７】
前記閉じ手段はジッパー構造であり、前記ジッパー構造は、前記カバーと前記包装本体との間に位置することを特徴とする、請求項１に記載の受けマット。
【請求項８】
前記閉じ手段はベルクロ(登録商標)構造であり、前記ベルクロ構造は、前記カバーと前記包装本体との間に位置することを特徴とする、請求項１に記載の受けマット。
【請求項９】
前記カバーのエッジの輪郭は前記開口に合うことを特徴とする、請求項１に記載の受けマット。
【考案の詳細な説明】
【技術分野】
【０００１】
本考案は、受けマットに関し、特に、緩衝部材を交換可能であり、家具のベッドマットや椅子マットなどに適用可能な受けマットに関するものである。
【背景技術】
【０００２】
一般的な家具の受けマット（例えばベッドマットや椅子マットなど）は、その内部に緩衝部材が複数設けられている。これらの緩衝部材による弾力により、受けマットが適当な柔らかさを有する。
【０００３】
しかし、何れか一つの緩衝部材が損壊した場合には、受けマットを分解することができないため、損壊した緩衝部材を交換することができない。このため、受けマット全体を廃棄せざるを得ない。そうすると、ゴミ量が増え資源を無駄にするという問題があった。
【考案の概要】
【考案が解決しようとする課題】
【０００４】
本考案の目的は、何れか一つの緩衝部材を損壊した場合には、当該緩衝部材を交換可能な受けマットを提供することにある。
【課題を解決するための手段】
【０００５】
本考案の受けマットは、家具に適用可能であり、収容空間を有し、収容空間の上に開口が設けられている包装本体と、収容空間の内部に配列されており、それぞれ複数の緩衝部材を有し、隣接する緩衝部材同士の外側面が互いに当接する複数の緩衝ユニットと、閉じ手段により、開口を選択的に閉じ可能であるカバーと、を含み、開口がカバーに閉じられるときには、各緩衝部材の両端が、それぞれカバーと収容空間の底面とに当接することを特徴とする。
【０００６】
本考案の受けマットは、更に、間隔ユニットを含み、間隔ユニットにより、収容空間が複数の放置セクションに間隔され、各放置セクションに緩衝ユニットを入れ可能であることを特徴とする。
【０００７】
本考案の受けマットは、各緩衝部材は、円筒状を呈し、直立するように収容空間に配されていることを特徴とする。
【０００８】
本考案の受けマットは、各緩衝部材はスポンジであることを特徴とする。
【０００９】
本考案の受けマットは、各緩衝部材は、スポンジであり、バネをカバーし、各バネの両端は、各緩衝部材の上下縁にそれぞれ当接することを特徴とする。
【００１０】
本考案の受けマットは、カバーは、包装本体の一側辺に連接されていることを特徴とする。
【００１１】
本考案の受けマットは、閉じ手段はジッパー構造であり、ジッパー構造は、カバーと包装本体との間に位置することを特徴とする。
【００１２】
本考案の受けマットは、閉じ手段はベルクロ(登録商標)構造であり、ベルクロ構造は、カバーと包装本体との間に位置することを特徴とする。
【００１３】
本考案の受けマットは、カバーのエッジの輪郭は開口に合うことを特徴とする。
【考案の効果】
【００１４】
本考案の受けマットによれば、次のような効果がある。
（１）何れか一つの緩衝部材が損壊した場合には、包装本体からカバーを取り外すことで、損壊した緩衝部材を取り出して、包装本体に新品の緩衝部材を入れることが可能である。損壊した緩衝部材だけを交換可能であるため、ゴミの量を削減可能であり、資源を大切にすることができる。
【００１５】
（２）間隔ユニットを設けることにより、各緩衝ユニットの外縁が包装本体の裏壁と間隔ユニットとに接触するため、緩衝ユニットを安定的に位置決めできる。損壊した緩衝部材を交換するときは、その他の緩衝部材の移動を防止できる。
【図面の簡単な説明】
【００１６】
【図１】本考案の一実施形態を示す外観図１であって、体積がより大きいベッドマットを示す。
【図２】図１における一部の分解斜視図である。
【図３】本考案の一実施形態を示す外観図２であって、体積がより小さい椅子マットを示す。
【図４】図３における一部の分解斜視図である。
【図５】本考案の一実施形態を示す断面図である。
【図６】本考案の一実施形態に係る緩衝部材を交換することを示す図である。
【図７】本考案の別の実施形態を示す断面図である。
【考案を実施するための形態】
【００１７】
以下、本考案の実施の形態を図面に基づいて説明する。
【００１８】
図１から図６を参照する。図１は、本考案の一実施形態を示す外観図１であって、体積がより大きいベッドマットを示し、図２は図１における一部の分解斜視図であり、図３は、本考案の一実施形態を示す外観図２であって、体積がより小さい椅子マットを示し、図４は図３における一部の分解斜視図であり、図５は本考案の一実施形態を示す断面図であり、図６は本考案の一実施形態に係る緩衝部材を交換することを示す図である。
緩衝部材３１を交換可能な受けマット１００は、包装本体１０と、間隔ユニット２０と、複数の緩衝ユニット３０と、カバー４０と、を含む。
【００１９】
包装本体１０は、矩形を呈し、弾性を有する布で作製される。包装本体１０は、底部１３と、底部１３と連接する周縁１４と、を有する。底部１３と周縁１４とから、収容空間１１が構成される。収容空間１１の上に開口１２が設けられている。
【００２０】
間隔ユニット２０は、弾性を有する布で作製される。間隔ユニット２０により、収容空間１１が複数の放置セクション１５に間隔される。複数の放置セクション１５は、矩形を呈し、その体積が同じであることが好ましい。
【００２１】
複数の緩衝ユニット３０は、その数量が放置セクション１５の数量と同じであり、各放置セクション１５に緩衝ユニット３０を入れることが可能である。これにより、これらの緩衝ユニット３０は、図２及び図５に示すように、収容空間１１の内部に配列され、その外縁が包装本体１０の裏壁１６と間隔ユニット２０とに接触する。一方、各緩衝ユニット３０は、円筒状を呈する複数の緩衝部材３１を有する。各緩衝部材３１は、スポンジであり、直立するように各放置セクション１５にそれぞれ配されている。隣接する緩衝部材３１同士の外側面は互いに近接する。
【００２２】
カバー４０は、包装本体１０の一側辺に連接されており、弾性を有する布、又は軟性マットで作製される。カバー４０のエッジの輪郭は開口１２に合う。閉じ手段により、カバー４０は、開口１２を選択的に閉じることが可能である。閉じ手段は、ジッパー構造（図示せず）、又はベルクロ構造（図示せず）を採用し、包装本体１０の周縁１４と連接する。
閉じ手段により、カバー４０は開口１２を閉じることが可能である。開口１２がカバー４０に閉じられるときには、図５に示すように、各緩衝部材３１の両端が、それぞれカバー４０及び底部１３に当接する。
【００２３】
図１及び図２を参照する。本実施形態に係る受けマット１００は、図１及び図２に示すように、体積がより大きいベッドマットに適用可能であり、図３及び図４に示すように、体積がより小さい椅子マットに適用可能である。そして必要によって、カバー４０の厚さ又は外形を変更可能である。例えば本実施形態に係る受けマット１００がベッドマットに適用される場合には、ユーザの身長や要求によって、カバー４０の厚さ及び外形を変更可能である。
【００２４】
何れか一つの緩衝部材３１ａが損壊した場合には、図６に示すように、包装本体１０の周縁１４からカバー４０を取り外し、損壊した緩衝部材３１ａを取り出して、包装本体１０に新品の緩衝部材３１ｂを入れることが可能である。このように、損壊した緩衝部材だけを交換可能であるため、ゴミの量を減少でき、資源を大切にすることができる。
【００２５】
間隔ユニット２０を設けることにより、各緩衝ユニット３０の外縁が包装本体１０の裏壁１６と間隔ユニット２０とに接触するため、緩衝ユニット３０が安定的に位置決めされる。損壊した緩衝部材３１ａを交換するときには、その他の緩衝部材３１の移動を防止可能である。
【００２６】
図７を参照する。図７は本考案の別の実施形態を示す断面図である。本実施形態の上記の実施形態と相違する点は、これらの緩衝ユニット３０の各緩衝部材３１がバネ３２を覆い、各バネ３２の両端は、各緩衝部材３１の上下縁にそれぞれ当接することにある。これにより、本実施形態に係る受けマット１００は、緩衝効果が良くなり、柔らかさを適当にすることが可能である。
【００２７】
本考案は、受けマットに適用することができる。
【符号の説明】
【００２８】
１０  包装本体
１１  収容空間
１２  開口
１３  底部
１４  周縁
１５  放置セクション
１６  裏壁
２０  間隔ユニット
３０  緩衝ユニット
３１、３１ａ、３１ｂ  緩衝部材
３２  バネ
４０  カバー
１００  受けマット
【図１】
0003200865.tif 000003
【図２】
0003200865.tif 000004
【図３】
0003200865.tif 000005
【図４】
0003200865.tif 000006
【図５】
0003200865.tif 000007
【図６】
0003200865.tif 000008
【図７】
0003200865.tif 000009
【手続補正書】
【提出日】平成27年9月2日(2015.9.2)
【手続補正１】
【補正対象書類名】実用新案登録請求の範囲
【補正対象項目名】全文
【補正方法】変更
【補正の内容】
【実用新案登録請求の範囲】
【請求項１】
家具に適用可能であり、
収容空間を有し、前記収容空間の上に開口が設けられている包装本体と、
前記収容空間の内部に配列されており、それぞれ複数の緩衝部材を有し、隣接する前記緩衝部材同士の外側面が互いに近接する複数の緩衝ユニットと、
閉じ手段により、前記開口を選択的に閉じることが可能であるカバーと、を含み、
前記開口が前記カバーに閉じられるときには、前記各緩衝部材の両端が、それぞれ前記カバーと前記収容空間の底面とに当接することを特徴とする、
受けマット。
【請求項２】
更に、間隔ユニットを含み、前記間隔ユニットにより、前記収容空間が複数の放置セクションに分割され、前記各放置セクションに緩衝ユニットを入れることが可能であることを特徴とする、請求項１に記載の受けマット。
【請求項３】
前記各緩衝部材は、円筒状を呈し、直立するように前記収容空間に配されていることを特徴とする、請求項１に記載の受けマット。
【請求項４】
前記各緩衝部材はスポンジであることを特徴とする、請求項１に記載の受けマット。
【請求項５】
前記各緩衝部材は、スポンジであり、バネをカバーし、前記各バネの両端は、前記各緩衝部材の上下縁にそれぞれ当接することを特徴とする、請求項１に記載の受けマット。
【請求項６】
前記カバーは、前記包装本体の一側辺に連接されていることを特徴とする、請求項１に記載の受けマット。
【請求項７】
前記閉じ手段はジッパー構造であり、前記ジッパー構造は、前記カバーと前記包装本体との間に位置することを特徴とする、請求項１に記載の受けマット。
【請求項８】
前記閉じ手段は面ファスナー構造であり、前記面ファスナー構造は、前記カバーと前記包装本体との間に位置することを特徴とする、請求項１に記載の受けマット。
【請求項９】
前記カバーのエッジの輪郭は前記開口に合うことを特徴とする、請求項１に記載の受けマット。
【手続補正２】
【補正対象書類名】明細書
【補正対象項目名】００１２
【補正方法】変更
【補正の内容】
【００１２】
本考案の受けマットは、閉じ手段は面ファスナー構造であり、面ファスナー構造は、カバーと包装本体との間に位置することを特徴とする。
【手続補正３】
【補正対象書類名】明細書
【補正対象項目名】００２２
【補正方法】変更
【補正の内容】
【００２２】
カバー４０は、包装本体１０の一側辺に連接されており、弾性を有する布、又は軟性マットで作製される。カバー４０のエッジの輪郭は開口１２に合う。閉じ手段により、カバー４０は、開口１２を選択的に閉じることが可能である。閉じ手段は、ジッパー構造（図示せず）、又は面ファスナー構造（図示せず）を採用し、包装本体１０の周縁１４と連接する。
閉じ手段により、カバー４０は開口１２を閉じることが可能である。開口１２がカバー４０に閉じられるときには、図５に示すように、各緩衝部材３１の両端が、それぞれカバー４０及び底部１３に当接する。